(57)【要約】      （修正有）【課題】上昇量を容易に増加させ、係合部とボギーアセンブリとの間に単純な噛合保持手段を有する積荷搬送トロリーを提供する。【解決手段】積荷支持上面１４と側壁１６とを有し、係合部とボギーアセンブリを長手方向に相対的に移動させた際にランプ４０及びローラー３８によって少なくとも１つのボギーアセンブリ２０と相対的に昇降させることができる細長い積荷係合部１２を含み、ボギーアセンブリが、長さ方向の主要部の上端を超える突起５２を有する少なくとも１つの側壁２２，２４を有し、積荷係合部１２の側壁の下端をボギーの側壁の上端の高さに上昇させた際にも積荷係合部とボギーアセンブリの噛合保持が行われ、突起５２が降下位置において積荷係合部の上面に収容される。【選択図】図５
2008189464.tif 000002
【特許請求の範囲】
【請求項１】
通常は溝軌道内を移動する積荷搬送トロリーであって、積荷支持上面と側壁とを有し、係合部とボギーアセンブリを長手方向に相対的に移動させた際にランプ及びローラー手段によって少なくとも１つのボギーアセンブリと相対的に昇降させることができる細長い積荷係合部を含み、前記ボギーアセンブリが、前記ボギーアセンブリの長さ方向の主要部の上端を超える突起を有する少なくとも１つの側壁を有し、前記積荷係合部の側壁の下端を前記ボギーの前記側壁の前記上端の高さに上昇させた際にも前記積荷係合部と前記ボギーアセンブリとの間の噛合保持が行われ、前記突起が降下位置において前記積荷係合部の前記上面に収容される積荷搬送トロリー。
【請求項２】
前記噛合保持手段が、前記積荷係合部の側面の内面と前記ボギーアセンブリの側面の外面との間に設けられた溝及びペグ部材を含む、請求項１に記載の積荷搬送トロリー。
【請求項３】
前記溝が前記ボギーに設けられ、前記ペグが前記積荷係合部に設けられている、請求項２に記載の積荷搬送トロリー。
【請求項４】
前記突起が前記積荷係合部の上面の開口部に収容される、請求項１、２又は３に記載の積荷搬送トロリー。
【請求項５】
前記溝が前記ランプの傾きに対応する主要部を有する、請求項２、３又は４に記載の積荷搬送トロリー。
【請求項６】
前記溝が前記ボギーの側壁の下端と平行な下部を有する、請求項２〜５のいずれか１項に記載の積荷搬送トロリー。
【請求項７】
前記溝の前記下部が閉鎖端部を有する、請求項６に記載の積荷搬送トロリー。
【請求項８】
前記溝が、前記ボギーアセンブリの側壁の上端と平行な上部を有する、請求項２〜７のいずれか１項に記載の積荷搬送トロリー。
【請求項９】
前記溝の前記上部が開放端部を有する、請求項２〜７のいずれか１項に記載の積荷搬送トロリー。
【請求項１０】
実質的に添付図面を参照して説明し、添付図面に示された積荷搬送トロリー。
【発明の詳細な説明】
【技術分野】
【０００１】
本発明は、通常は溝軌道内を移動し、係合部とボギーを長手方向に相対的に移動させた際にランプ・ローラー手段によってボギーと相対的に昇降させることができる細長い積荷係合部を含む積荷搬送トロリーに関する。
【背景技術】
【０００２】
このような軌道内トロリー装置の成功品であり、公知の例としては、ＪＯＬＯＤＡ（登録商標）として市販されている製品が挙げられる。
【０００３】
軌道が設けられた強固かつ適度に平坦な床及び容器又はパレット等の適度な剛性を有する積荷の場合には、トロリーを挿入及び上昇させた後に積荷を床上で自在に移動させるための隙間を与えるためには僅かな上昇高さで十分であるため、非常に浅い軌道に設けられた非常に低いトロリーが使用されている。
【０００４】
現在では、床やパレット及び容器のコストを最小化するために床及びパレットの剛性を低下させる傾向があり、その結果生じる屈曲又は撓みにより、トロリーによって積荷を移動させる際に積荷と床との接触を常に回避するためには従来の上昇高さでは不十分な場合がある。
【０００５】
ＪＯＬＯＤＡトロリーの成功と名声は、特にボギーの側壁と逆溝形断面を有する積荷係合部の側壁との緊密な噛み合い（ｉｎｔｅｒｆｉｔｍｅｎｔ）と、トロリーの降下状態において実質的に面一な壁の底面と、設計によって側面と壁との間に設けられる噛合保持手段（ｐｏｓｉｔｉｖｅ  ｒｅｔｅｎｔｉｏｎ  ｍｅａｎｓ）とを含む堅実で優れた設計に基づくものである。しかし、強固なピン−棚、溝又はスロット型の噛合保持手段により、上昇量を所望に応じて増加させることが制限されてしまう。
【０００６】
そこで、上昇量を増加させた我々のトロリーは、固定された一つの構成要素と、前記構成要素に接続され、係合部とボギーアセンブリの相対的な移動時に移動するようにトロリー部に連結された相対移動可能な少なくとも一つの構成要素とを有する装置を含むことを基本的な特徴とする噛合保持手段を利用している。
【０００７】
同一の基本トロリー高さの範囲内で上昇量を増加させるためには、ランプ手段をボギーを取り囲む逆溝形の積荷係合部内における空間の高さにより接近させなければならないことは明らかである。ただし、長さ全体にわたって密接に隣接することが好ましい積荷係合部の側面によるオーバーラップのためにトロリーの上昇高さに接近又は到達した場合でもボギーの側壁の横方向の噛合位置が維持されるように、ランプの高さを僅かに低く維持することが好ましい。ランプが高さ全体にわたって位置決め凹部を有することが好ましい場合、接近時に上昇高さは通常増加する。
【０００８】
具体的には、我々は、ボギーのローラーに係合すると共に効果的に案内／保持し、ローラーが協働する楔の下に固定されるリンクのスロット内において軸又はロッドを取り囲むばねリンク状の保持手段を利用している。このような実施形態の基本動作は、ボギーのローラーは積荷係合部のランプを上昇するに従ってローラー・軸のばね保持部材を屈曲させることを含む。
【０００９】
トロリーは、コンクリート床に落下するといった非常に乱暴な取り扱いを必然的に受ける場合があるが、我々のトロリーは故障又は破損することなくそのような取り扱いに容易に耐えることができる。
【００１０】
そのような取り扱いに対して、ローラ軸／ボギー交差接続部／ボギースタッドと案内関係にあるばねリンクに完全に依存する場合には、設計上の最大位置に対応する位置を越えて（積荷係合部の側壁を越えて）ボギーが移動する可能性に対する保護を設けることが好ましい。そのような保護は、通常は積荷係合部のランプの下に設けられた湾曲部を有するＵ字形のワイヤ装置を使用する、積荷係合部のランプの下からばねリンクの端部に延びるワイヤリンクを含むばねリンクの非延長制限手段によって行われている。
【００１１】
ばねリンクは、ボギーの側壁の各面との隣接係合のために、ボギーのランプ部の下方に把持される第１の部分と、ランプ部の各側面の延設された部分とを有するシート状のばね鋼の単一構造体によって形成される。延設部分は、第１の部分から適切な距離で折り返され、ランプ部が上昇する際にローラ軸等の係合部の最大移動に対応する距離の後に更に折り返される。その後、第１の折り返し部に戻って前記最大移動に対応するスロットを形成し、望ましくは第１の延長部分に沿って折り返された第１の折り返し部を通って再び折り返される。
【００１２】
我々は、欧州特許出願第１２５１０５６号において上述したばね保持手段と制限手段の代替手段を提案しており、所望の噛合保持と所望の移動制限を達成している。上記代替手段では、噛合保持手段は、積荷係合部に固定された固定部材と、固定部材に対する軸支移動のために取り付けられ、係合部とボギーアセンブリの相対移動時に移動するようにローラー手段の軸又はその他の交叉接続部を収容するスロットを有する少なくとも１つの非延長相対移動部材と、を含み、相対移動部材は、積荷係合部と協働して相対移動部材の接合を制限する当接手段を有する。
【００１３】
しかし、この代替手段は製造するには複雑であり、部品数の増加によって積荷搬送トロリーが通常使用される過酷な状況における信頼性が低下してしまうことが分かった。
【発明の開示】
【発明が解決しようとする課題】
【００１４】
本発明の目的は、上昇量を容易に増加させることができ、係合部とボギーアセンブリとの間に単純な噛合保持手段を有する上述したタイプの積荷搬送トロリーを提供することにある。
【課題を解決するための手段】
【００１５】
本発明によれば、通常は溝軌道内を移動する積荷搬送トロリーであって、積荷支持上面と側壁とを有し、係合部とボギーアセンブリを長手方向に相対的に移動させた際にランプ及びローラー手段によって少なくとも１つのボギーアセンブリと相対的に昇降させることができる細長い積荷係合部を含み、前記ボギーアセンブリが、前記ボギーアセンブリの長さ方向の主要部の上端を超える突起を有する少なくとも１つの側壁を有し、前記積荷係合部の側壁の下端を前記ボギーの前記側壁の前記上端の高さに上昇させた際にも前記積荷係合部と前記ボギーアセンブリの噛合保持が行われ、前記突起が降下位置において前記積荷係合部の前記上面に収容される積荷搬送トロリーが提供される。
【００１６】
前記噛合保持手段は、好ましくは、前記積荷係合部の側面の内面と前記ボギーアセンブリの側面の外面との間に設けられた溝及びペグ部材を含む。理想的には、溝はボギーに設けられ、ペグは積荷係合部に設けられている。
【００１７】
前記突起は、好ましくは前記積荷係合部の上面の開口部に収容される。
【００１８】
前記溝は、好ましくは前記ランプの傾きに対応する主要部を有する。前記溝の下部は、好ましくは前記ボギーの側壁の下端と平行である。前記溝の前記下部は、好ましくは閉鎖端部を有する。
【００１９】
前記溝は、好ましくは、前記ボギーアセンブリの側壁の上端と平行な上部を有する。前記溝の前記上部は、好ましくは、前記ボギーアセンブリを前記積荷係合部に取り付けるための開放端部を有する。
【００２０】
すなわち、積荷係合部をボギーと相対的に従来の積荷搬送トロリーと比較して長い距離にわたって上昇させることができることを意味する。
【００２１】
以下、本発明を図面を参照して実施例によって説明する。
【発明を実施するための最良の形態】
【００２２】
図示するように、積荷搬送トロリー１０は逆溝断面を有する積荷係合部１２を有し、積荷係合部１２のウェブ１４は積荷と係合するように上方を向いており、積荷係合部１２の側壁１６，１８は下方を向いている。側壁１６，１８間には、側壁１６，１８に対して小さな隙間を空けてボギーアセンブリ２０が設けられている。ボギーアセンブリ２０は、スタッド２６、ローラー２８、ボギーアセンブリ２０間の接合リンク３２のためのジャーナルロッド３０によって接続され、間隔を空けて設けられた側面２２，２４を有し、積荷係合部（すなわち、ＪＯＬＯＤＡ（登録商標）として市販されているトロリーエクステンションユニット）あたり少なくとも２つのボギーアセンブリ２０が設けられる。
【００２３】
また、スタッド２６は、ボギーの側壁間に位置するボギーアセンブリを昇降させるための手段３４を接続している。手段３４は、間隔を空けて設けられた一対の壁３６を含み、壁３６間にローラー３８が取り付けられている。ねじ４１によって積荷係合部１２の下面に固定されたランプ４０がローラー３８に関連付けて設けられており、ボギーアセンブリ２０が積荷係合部１２に沿って移動すると、ローラー３８は降下位置からランプ４０上を移動し、積荷係合部をボギーアセンブリと相対的に上方に移動させる。
【００２４】
ボギーアセンブリ２０の側面２２，２４の外面は溝４２（図６を参照）を有し、積荷係合部がボギーアセンブリと相対的に上向き又は下向きに移動すると、積荷係合部の側壁１６，１８の内面上のピン４４が溝４２に沿って移動する。溝４２は、ボギーアセンブリ２０の側面２２，２４の下端と平行な第１の下部４６と、ランプ４０の傾きに対応する傾斜した主要部４８と、ボギーアセンブリの側面の上端と平行な上部５０と、を有する。上部５０は、ボギーアセンブリの側面の上端の大部分よりも上方に延設された突起５２に対応して設けられている。溝４２の下部４６の端部は閉じられているが、溝４２の上部５０の端部は開いており、ボギーアセンブリを積荷係合部に取り付けることができるようになっている。
【００２５】
積荷係合部１２をボギーアセンブリ２０に対して最大位置まで上昇させるために、ボギーアセンブリ２０の側面の突起５２は、降下位置において積荷係合部１２の上面の開口部５４に収容される。ボギーアセンブリ２０が積荷係合部１２と相対的に長手方向に移動すると、突起５２内の溝４２によって従来のボギーアセンブリの側面の場合よりも高く積荷係合部を上昇させることができる。
【００２６】
図示するように、ボギーアセンブリ２０を積荷係合部と相対的に長手方向に移動させるためのメカニズムは公知である。クランク２６は積荷係合部１２の側壁１６，１８間で軸支接続され、図２及び図４に示す位置の間で移動可能なようにピン５８を中心として回転する。積荷係合部の側壁１６，１８は端部壁６０によって接続されており、積荷係合部の上面は端部において６２で示すように開口し、クランク５６の上面の穴６６と係合する操作レバー６４を収容する。横方向に間隔を空けて設けられた一対のリンク６８が軸６７においてクランクに軸支接続されている。一対のクランクリンク６８は、ピボットピン接続部７０によってボギーアセンブリ２０の側面２２，２４にそれぞれ軸支接続されている。各クランクリンク６８は当接点として機能するピボットピン７２を支持している。
【００２７】
図２は、積荷係合部１２が降下位置にある場合のメカニズムを示している。積荷係合部を軌道と相対的に上昇させる必要がある場合には、操作レバー６４をクランク５６に挿入し、図示する実施形態では反時計回りに回転させてクランクを移動させ、リンクの作用によってボギーアセンブリ２０を長手方向に移動させる。上述したように、ボギーアセンブリの移動によりランプ４０はローラー３８によって持ち上げられ、積荷係合部は積荷搬送トロリーを軌道に沿って移動させるための図４に示す上昇位置に移動する。最大まで移動すると、ピン４４は溝４２に沿って上部５０に移動する。
【００２８】
積荷搬送トロリーの通常動作においてローラー２８が軌道に接触している場合には、ピン７２とボギーアセンブリの側面２２，２４の端面との間には隙間が残っている。積荷搬送トロリーが軌道の端部を超えて突出する場合、当接ピン７２がない場合にはリンク６８とボギーアセンブリ２０との間でかなりの角度移動が生じることになる。しかし、当接ピン７２を設けることにより、角度移動が抑制され、ボギーの端部が十分に支持されていないにもかかわらず長手方向の移動が生じ、ランプ４０に対するローラー３８の移動によって所望の上昇を生じさせることができる。
【図面の簡単な説明】
【００２９】
【図１】図１は、本発明の積荷搬送トロリーを示す。
【図２】図２は、降下位置にある図１の積荷搬送トロリーの断面を示す。
【図３】図３は、図１のトロリーの下面図である。
【図４】図４は、上昇位置にある図１のトロリーの断面を示す。
【図５】図５は、図１のトロリーの分解図である。
【図６】図６は、図１のトロリーの一部を示す。
【図１】
2008189464.tif 000003
【図２】
2008189464.tif 000004
【図３】
2008189464.tif 000005
【図４】
2008189464.tif 000006
【図５】
2008189464.tif 000007
【図６】
2008189464.tif 000008
【手続補正書】
【提出日】平成20年2月22日(2008.2.22)
【手続補正１】
【補正対象書類名】図面
【補正対象項目名】全図
【補正方法】変更
【補正の内容】
【図１】
2008189464.tif 000009
【図２】
2008189464.tif 000010
【図３】
2008189464.tif 000011
【図４】
2008189464.tif 000012
【図５】
2008189464.tif 000013
【図６】
2008189464.tif 000014
【外国語明細書】
2008189464000001.pdf
2008189464000002.pdf
2008189464000003.pdf
2008189464000004.pdf